(57)【特許請求の範囲】
【請求項１】
印鑑届け用紙を含む複数枚の申込用紙を一端で分離可能に綴じ合わせてなり、前記印鑑届け用紙の所定位置には、捺印ラベル表面に届け印を捺印した後、前記捺印ラベルの捺印面を透明フィルムで被覆可能な届け印保護シールを粘着及び剥離が繰り返し可能に粘着したことを特徴とする申込書。
【請求項２】
印鑑届け用紙を含む複数枚の申込用紙を一端で分離可能に綴じ合わせ、前記印鑑届け用紙の所定位置には、捺印ラベル表面に届け印を捺印した後、前記捺印ラベルの捺印面を透明フィルムで被覆可能な届け印保護シールを粘着及び剥離が繰り返し可能に粘着し、これら申込用紙と封筒形成用紙とを一体化したことを特徴とする申込書。
【請求項３】
印鑑届け用紙を含む複数枚の申込用紙と封筒形成用紙とをそれぞれの一端で分離可能に綴じ合わせてなり、前記印鑑届け用紙の所定位置には、捺印ラベル表面に届け印を捺印した後、前記捺印ラベルの捺印面を透明フィルムで被覆可能な届け印保護シールを粘着及び剥離が繰り返し可能に粘着する一方、前記封筒形成用紙は前記各申込用紙よりも大きく形成し、前記各申込用紙及び前記封筒形成用紙の綴じ合わせ端とこの綴じ合わせ端とは反対側の前記封筒形成用紙の端縁には、前記封筒形成用紙を二つ折りしたときに重なり合い、かつ前記各申込用紙と前記封筒形成用紙との綴じ合わせ部分の内側に位置するように開封用の切り取り部を設けてなり、綴じ合わせ端と反対側の端縁を含む前記封筒形成用紙の略２分の１周端縁には、封緘用の粘着剤を塗布するとともに、この粘着剤を被覆保護する保護紙を剥離可能に設けたことを特徴とする申込書。
【発明の詳細な説明】
【０００１】
【発明の属する技術分野】
本発明は、届け印を捺印して所定の申込を行う申込書、例えば、銀行の預金口座を新規に開設するための申込書に関する。
【０００２】
【従来の技術】
現在、銀行等では、顧客の利便性に配慮して、自動預金機等で一定の機械業務を取り扱う無人店舗を設けており、これら無人店舗には、預金口座開設の申込書を置いて、申込書の郵送により新規口座の開設を申込可能となっている。この申込書は、透明な袋の中に、郵送用封筒や通帳に貼る届け印を捺印する届け印保護シールとともに、入っているのが一般的である。
【０００３】
【発明が解決しようとする課題】
このため従来においては、申込書や郵送用封筒に比べて小さな届け印保護シールを紛失してしまうと不都合を生じたり、申込書の印鑑届け用紙に届け印を捺印するとともに、申込書とは別体になっている届け印シールにも捺印するのは煩雑であるという不都合を生じていた。本発明はこのような不都合を解消した申込書を提供することを目的とする。
【０００４】
【課題を解決するための手段】
上述した目的を達成するために本発明の請求項１に記載した申込書は、印鑑届け用紙を含む複数枚の申込用紙を一端で分離可能に綴じ合わせてなり、前記印鑑届け用紙の所定位置には、捺印ラベル表面に届け印を捺印した後、前記捺印ラベルの捺印面を透明フィルムで被覆可能な届け印保護シールを粘着及び剥離が繰り返し可能に粘着したものである。
【０００５】
また、本発明の請求項２に記載した申込書は、印鑑届け用紙を含む複数枚の申込用紙を一端で分離可能に綴じ合わせ、前記印鑑届け用紙の所定位置には、捺印ラベル表面に届け印を捺印した後、前記捺印ラベルの捺印面を透明フィルムで被覆可能な届け印保護シールを粘着及び剥離が繰り返し可能に粘着し、これら申込用紙と封筒形成用紙とを、互いの一端で綴じ合わせる等して一体化したものである。
【０００６】
さらに、本発明の請求項３に記載した申込書は、印鑑届け用紙を含む複数枚の申込用紙と封筒形成用紙とをそれぞれの一端で分離可能に綴じ合わせてなり、前記印鑑届け用紙の所定位置には、捺印ラベル表面に届け印を捺印した後、前記捺印ラベルの捺印面を透明フィルムで被覆可能な届け印保護シールを粘着及び剥離が繰り返し可能に粘着する一方、前記封筒形成用紙は前記各申込用紙よりも大きく形成し、前記各申込用紙及び前記封筒形成用紙の綴じ合わせ端とこの綴じ合わせ端とは反対側の前記封筒形成用紙の端縁には、前記封筒形成用紙を二つ折りしたときに重なり合い、かつ前記各申込用紙と前記封筒形成用紙との綴じ合わせ部分の内側に位置するように開封用の切り取り部を設けてなり、綴じ合わせ端と反対側の端縁を含む前記封筒形成用紙の略２分の１周端縁には、封緘用の粘着剤を塗布するとともに、この粘着剤を被覆保護する保護紙を剥離可能に設けたものである。
【０００７】
【発明の実施形態】
以下、本発明を新規口座開設を銀行に申し込むための申込書に適用した場合の好適な実施形態を添付図面に基づき詳細に説明する。ここにおいて、図１は申込書全体を示す概略的な斜視図、図２は表紙を捲り上げた状態の申込書全体を示す概略的な斜視図、図３は図１のＡ−Ａ線端面図、図４は印鑑届け用紙の表面側を示す概略的な平面図、図５は届け印保護シールの粘着状態を示す部分拡大端面図、図６は封筒を作成した状態の宛先情報表示面側を示す平面図、図７は図６のＢ−Ｂ線端面図である。
【０００８】
図１〜図３に示すように、申込書１は、上から表紙２、申込者控用紙３、印鑑届け用紙４、行内処理用紙５、封筒形成用紙６を互いの一端で接着剤７により綴じ合せるとともに、綴じ合わせ部分の内側には上下に重なる位置に切り用ミシン目８を設けて分離可能としている。前記表紙２と前記封筒形成用紙６は同一大であり、これらの間に綴じ込んだ３枚の申込用紙である申込者控用紙３、印鑑届け用紙４、行内処理用紙５は、綴じ込み部分を除いて前記表紙２と前記封筒形成用紙６よりも幅を狭く形成し、また、左右方向の長さも前記表紙２と前記封筒形成用紙６よりは短く形成している。
【０００９】
封筒形成用紙６の綴じ合わせ端と反対側には、申込者控用紙３、印鑑届け用紙４、行内処理用紙５の外側に位置する三端縁に沿って、封緘用の粘着剤９を塗布するとともに、この粘着剤９を被覆保護する保護紙１０を剥離可能に粘着している。前記封筒形成用紙６の綴じ合わせ端と反対側の端縁の粘着剤９塗布部分の内側には、前記封筒形成用紙６を二つ折りしたときに各切り用ミシン目８と重なり合う位置に切り用ミシン目１１を設けている。なお、前記各切り用ミシン目８，１１で開封用の切り取り部を構成する。
【００１０】
図１に示すように、表紙２の表面には、開設する口座の機能に関する説明文１２を印刷している。また、図２に示すように、前記表紙２の裏面には、申込者控用紙３、印鑑届け用紙４、行内処理用紙５に対する記入例及び記入に関する注意文１３を印刷している。
【００１１】
同じく図２に示すように、申込者控用紙３の表面には、暗証番号記入欄１４と口座開設支店名記入欄１５を設けるとともに、口座開設に関する説明文１６を印刷している。一方、図４に示すように、印鑑届け用紙４の表面には、申込年月日記入欄１７、申込者の住所、氏名、電話番号、生年月日、職業、性別を記入する申込者情報記入欄１８、届け印を捺印する届け印捺印欄１９、口座開設支店名記入欄を備えた事務処理用記入欄２０を設けている。そして、前記届け印捺印欄１９の横には、届け印保護シール２１を剥離可能に粘着している。
【００１２】
なお、図示してはいないが、行内処理用紙５の表面には、申込者情報を記入する記入欄と行内での事務処理に使用する記入欄を設けている。また、これら各用紙３，４，５に同一事項を記入する記入欄を、上下に対応位置して設けた場合には、これら記入欄に対応するようカーボン式あるいはノンカーボン式の適宜な複写構造を設け、複写記入可能に構成してもよい。例えば、口座開設支店名記入欄１５への記入により事務処理用記入欄２０及び行内処理用紙５の対応する記入欄に複写記入され、申込者情報記入欄１８への記入により行内処理用紙５の対応する記入欄に複写記入されるよう構成するとよい。
【００１３】
図５に示すように、届け印保護シール２１は、裏面に粘着剤２３を塗布するとともに、この粘着剤２３塗布面を一端を除いて剥離紙２４で被覆した透明フィルム２５を、届け印を捺印する捺印ラベル２２に、前記粘着剤２３の露出部分で粘着してなる。そして、この届け印保護シール２１は、前記捺印ラベル２２の裏面に設けた、粘着及び剥離が繰り返し可能な再剥離性粘着剤２６によって、印鑑届け用紙４の表面に剥離可能に粘着しているものである。前記再剥離性粘着剤２６は、前記捺印ラベル２２の裏面に全面的に設けてもよいし、縞状や市松模様状に部分的に設けてもよい。
【００１４】
図２に示すように、保護紙１０の表面には、申込者控用紙３、印鑑届け用紙４、行内処理用紙５への記入や捺印から郵送用の封筒作成に至る迄の手順を説明した説明文２７を印刷している。さらに、図６で理解できるように、封筒形成用紙６の裏面における保護紙１０と対応する部分には、封筒２８の郵送先である宛先情報２９を印刷している。
【００１５】
続いて、上述した申込書１から封筒２８を作成する手順について説明する。この作成手順は、表紙２裏面の記入例及び注意文１３、申込者控用紙３表面の説明文１６、保護紙１０表面の説明文２７にしたがって行う。まず、表紙２を開き（図２参照）、申込者控用紙３と印鑑届け用紙４の所定記入欄に必要事項を記入するとともに、届け印捺印欄１９と届け印保護シール２１の捺印ラベル２２に届け印を捺印する。前記捺印ラベル２２に対する捺印は、透明フィルム２５を剥離紙２４とともに捲り上げて行えばよく、前記届け印保護シール２１は前記届け印捺印欄１９の横に設けられているので、これら捺印動作は容易に行うことができる。
【００１６】
次に、表紙２と申込者控用紙３を切り用ミシン目８から切り離したうえ、保護紙１０を剥離して粘着剤９を露出し、封筒形成用紙６を二つ折りすると、切り用ミシン目１１が各切り用ミシン目８に重なるとともに、折り部分を除く三周縁が前記粘着剤９で粘着され、図６及び図７に示す封緘した封筒２８となる。そして、封筒２８には、宛先情報２９があらかじめ印刷されているので、そのまま投函可能である。
【００１７】
一方、この封筒２８を受領した銀行では、封筒２８の一側端に位置する各切り用ミシン目１１，８を破断すると、前記封筒２８を開封するとともに、印鑑届け用紙４と行内処理用紙５とを分離することができる。そして、分離した印鑑届け用紙４と行内処理用紙５とを使用して、口座新規開設に必要な所定の事務処理を行うものである。
【００１８】
なお、本発明は、上述した実施形態に限らず、例えば、申込用紙の種類や枚数は、申込者控用紙３、印鑑届け用紙４、行内処理用紙５の３枚に限らず、事務処理内容に応じて適宜決定すればよいものである。また、申込用紙を分離可能にする構成は、綴じ合わせ部分の内側に切り用ミシン目８を設ける構成に限らず、線状や点状に設けた接着剤で剥離可能に接着する構成や、接着力の弱い接着剤で剥離可能に接着する構成でもよい。さらに、開封用の切り取り部は、切り用ミシン目８，１１のほか、封筒形成用紙６に印刷した切り取り位置を指示する切り取り線でもよい。さらにまた、表紙２や封筒形成用紙６は設けなくてもよく、封筒内に申込書を収容しておいたり、封筒と申込書を別の袋内に収容しておいてもよい。またさらに、印鑑届け用紙４の届け印保護シール２１を分離可能に粘着する位置は、届け印捺印欄１９の横に限定されない。
【００１９】
【発明の効果】
以上説明したところで明らかなように、請求項１に記載の発明によれば、印鑑届け用紙の所定位置に届け印保護シールを粘着及び剥離が繰り返し可能に粘着したので、届け印保護シールを紛失する虞がなく、捺印動作も容易であるほか、事務処理を行いやすい。また、請求項２に記載の発明によれば、複数枚の申込用紙に封筒形成用紙を一体化したので、別途封筒を用意する必要がなく簡便である。さらに、請求項３に記載の発明によれば、複数枚の申込用紙に封筒形成用紙を分離可能に綴じ合わせるとともに、綴じ合わせ部分の内側に位置して開封用の切り取り部を設けたので、必要な申込用紙を封筒内へ封入することを忘れることがない一方、開封動作によって各申込用紙の分離も可能となり、より簡便であるという効果を奏する。
【図面の簡単な説明】
【図１】申込書全体を示す概略的な斜視図。
【図２】表紙を捲り上げた状態の申込書全体を示す概略的な斜視図。
【図３】図１のＡ−Ａ線端面図。
【図４】印鑑届け用紙の表面側を示す概略的な平面図。
【図５】届け印保護シールの粘着状態を示す部分拡大端面図。
【図６】封筒を作成した状態の宛先情報表示面側を示す平面図。
【図７】図６のＢ−Ｂ線端面図。
【符号の説明】
１      申込書
２      表紙
３      申込者控用紙
４      印鑑届け用紙
５      行内処理用紙
６      封筒形成用紙
７      接着剤
８      切り用ミシン目
９      粘着剤
１０      保護紙
１１      切り用ミシン目
１３      注意文
１６      説明文
１９      届け印捺印欄
２１      届け印保護シール
２２      捺印ラベル
２３      粘着剤
２４      剥離紙
２５      透明フィルム
２６      再剥離性粘着剤
２７      説明文
２８      封筒
２９      宛先情報
【図１】
0003549328.tif 000002
【図２】
0003549328.tif 000003
【図３】
0003549328.tif 000004
【図４】
0003549328.tif 000005
【図５】
0003549328.tif 000006
【図６】
0003549328.tif 000007
【図７】
0003549328.tif 000008